(57)【要約】      （修正有）【課題】上質でありながら製造コストの低減が可能であり、既存の家具への取付けを容易に行うことのできる家具用扉を提供する。【解決手段】家具本体としての収納棚１が備える内部空間１Ａを開閉可能とする位置に設けられる家具用扉２であって、収納棚１に取り付けられる取付部２３と、内部空間１Ａの前面に配されるパネル部２１と、取付部２３に対しパネル部２１を回動可能に支持するヒンジ部２２とを具備し、パネル部２１及び取付部２３が芯材３１，３２とこれら芯材を覆う表皮材とをそれぞれ備え、パネル部２１及び取付部２３を構成する表皮材が連続し、その表皮材によりパネル部２１と取付部２３との間にヒンジ部２２を構成するようにした。【選択図】図３
2014145196.tif 000002
【特許請求の範囲】
【請求項１】
家具本体が備える内部空間を開閉可能とする位置に設けられる家具用扉であって、
家具本体に取り付けられる取付部と、前記内部空間の前面に配されるパネル部と、前記取付部に対しパネル部を回動可能に支持するヒンジ部とを具備し、
前記パネル部及び前記取付部が芯材と当該芯材を覆う表皮材とをそれぞれ備え、前記パネル部及び前記取付部を構成する表皮材が連続し、その表皮材により前記パネル部と前記取付部との間に前記ヒンジ部を構成していることを特徴とする家具用扉。
【請求項２】
前記パネル部及び前記取付部の表面と裏面とを被覆する表皮材同士を、各芯材の周囲、及び前記ヒンジ部において厚み方向に止着する止着部を設けていることを特徴とする請求項１記載の家具用扉。
【請求項３】
前記パネル部を構成する芯材と表皮材との間にクッション材を介在させたことを特徴とする請求項２記載の家具用扉。
【請求項４】
前記パネル部を構成する芯材が厚み方向に貫通する貫通孔を複数個備えており、
これらの貫通孔に対応する位置において、前記パネル部の表面と裏面を構成する表皮材同士を厚み方向に止着する止着部をさらに備えることを特徴とする請求項２又は３記載の家具用扉。
【請求項５】
前記止着部が、表面と裏面とを構成する表皮材同士の間に設けられた熱溶着シートを用いて熱溶着により形成されていることを特徴とする請求項２〜４のいずれかに記載の家具用扉。
【請求項６】
前記表皮材が、前記熱溶着シートよりも融点の高い熱可塑性樹脂によって形成されていることを特徴とする請求項５記載の家具用扉。
【請求項７】
前記止着部が、表面と裏面とを構成する表皮材同士を縫合することにより形成されていることを特徴とする請求項２〜４のいずれかに記載の家具用扉。
【請求項８】
前記芯材が、ハニカム状に形成されたハニカムコアと、このハニカムコアを挟み込む一対の平板とが一体的に構成されたハニカム構造体であることを特徴とする請求項１〜７のいずれかに記載の家具用扉。
【請求項９】
前記パネル部における前記ヒンジ部と対向する縁部近傍に設けられ、厚み方向に貫通する係止孔が形成された係止具と、
前記家具本体の開口縁のうち前記取付部と対向する位置に設けられた係止片とを備え、
前記内部空間を閉止した際に、前記係止片の突出部が前記係止具の係止孔を挿通して突出するとともに、前記突出部を貫通する施錠孔が前記係止孔より露出するようにしたことを特徴とする請求項１〜８のいずれかに記載の家具用扉。
【発明の詳細な説明】
【技術分野】
【０００１】
本発明は、収納棚等の収納家具において用いることのできる家具用扉である。
【背景技術】
【０００２】
従来より、収納スペースとなる内部空間が外部に開放された形態の収納家具において用いられ、前記内部空間を閉止することのできる後付け式の家具用扉が知られている。
【０００３】
こうした扉を収納家具に取り付ける構造としては、金属製の蝶番を用いるものが一般に広く知られている。
【０００４】
また、こうした構造以外のものも提案がなされており、例えば、下記特許文献１には、カラーボックス等における棚の開口縁部に取り付ける扉であり、開口縁部に回動軸受部を止着させておき、この回動軸受部に軸着する回動軸を扉を構成する枠体に設ける構造のものが開示されている。
【０００５】
さらに、下記特許文献２には、カラーボックスの側板に嵌めこんで取付ける脱着式蝶番や脱着式扉受を備え、これらを介して扉を支持する構造のものが開示されている。
【先行技術文献】
【特許文献】
【０００６】
【特許文献１】特開２００３−２１４０４４号公報
【特許文献２】実開平６−４３１９０号公報
【発明の概要】
【発明が解決しようとする課題】
【０００７】
しかしながら、上記のいずれの構成であっても、蝶番や回動軸受部等、扉本体以外の別部材を必要として、構成が複雑となり製造コストの増大を招いてしまう。また、複数の部材の組合せにより収納家具に取り付けることから、適切に位置決めを行いつつ取り付けることが困難になる。さらには、別部材を伴う複雑な構成となることで、使用者から見ると煩雑で無骨な印象を受けやすいものとなってしまう。
【０００８】
本発明は、このような課題を有効に解決することを目的としており、具体的には部品点数の少ない簡単な構成としながら上質でスッキリとした軽快な印象を与えるとともに、低コストでの製造が可能であり、収納家具への後付けを容易に行うことのできる家具用扉を提供することを目的としている。
【課題を解決するための手段】
【０００９】
本発明は、かかる目的を達成するために、次のような手段を講じたものである。
【００１０】
すなわち、本発明の家具用扉は、家具本体が備える内部空間を開閉可能とする位置に設けられる家具用扉であって、家具本体に取り付けられる取付部と、前記内部空間の前面に配されるパネル部と、前記取付部に対しパネル部を回動可能に支持するヒンジ部とを具備し、前記パネル部及び前記取付部が芯材と当該芯材を覆う表皮材とをそれぞれ備え、前記パネル部及び前記取付部を構成する表皮材が連続し、その表皮材により前記パネル部と前記取付部との間に前記ヒンジ部を構成していることを特徴とする。
【００１１】
このように連続する表皮材を用いてパネル部、取付部及びヒンジ部を構成することで、小型軽量で一体感のある上質で軽快な印象の家具用扉を実現することができる。また、ヒンジ部に金具や回転軸体等を用いることがなく、部品点数を少なくすることができることから製造コストを低減することも可能となる。さらには、構成が簡単であることから取り付けも容易となり、既存の家具にも好適に後付けすることも可能となる。
【００１２】
また、上記の構成を具体化しつつ、簡単に構成することを可能とするためには、前記パネル部及び前記取付部の表面と裏面とを被覆する表皮材同士を、各芯材の周囲、及び前記ヒンジ部において厚み方向に止着する止着部を設けるように構成することが好適である。
【００１３】
また、より上質感を付与することを目的として、表皮材に張力を付与させて弛みを抑制するためには、前記パネル部を構成する芯材と表皮材との間にクッション材を介在させることが好適である。
【００１４】
また、芯材に対する表皮材のズレを効果的に抑え、長期間の使用でも表皮材のよじれやシワを抑制することを可能とするためには、前記パネル部を構成する芯材が厚み方向に貫通する貫通孔を複数個備えており、これらの貫通孔に対応する位置において、前記パネル部の表面と裏面を構成する表皮材同士を厚み方向に止着する止着部をさらに備えるように構成することが好適である。
【００１５】
また、上記の止着部をより簡単且つ短時間で形成して、一層のコストの低減を図るためには、前記止着部が、表面と裏面とを構成する表皮材同士の間に設けられた熱溶着シートを用いて熱溶着により形成されるように構成することが好適である。
【００１６】
さらには、熱加工によって、表皮材同士を熱溶着シートを用いて止着させつつ、所望の形状に形成することを可能とするためには、前記表皮材を、前記熱溶着シートよりも融点の高い熱可塑性樹脂によって形成することが好適である。
【００１７】
また、上記熱溶着シートを用いる構造に代えて、特別な設備を要することなく、簡単な手段にて低コストで止着部を形成することを可能とするためには、前記止着部が、表面と裏面とを構成する表皮材同士を縫合することにより形成されるように構成することが好適である。
【００１８】
また、軽量でありながら剛性の高い構造とすることができ、軽量の家具等においても好適に利用することを可能とするためには、前記芯材が、ハニカム状に形成されたハニカムコアと、このハニカムコアを挟み込む一対の平板とが一体的に構成されたハニカム構造体であるように構成することが好適である。
【００１９】
さらには、パネル部を閉じた状態として南京錠等の錠前を用いて、開閉を不能とするロック構造を簡単に構成することを可能とするためには、前記パネル部における前記ヒンジ部と対向する縁部近傍に設けられ、厚み方向に貫通する係止孔が形成された係止具と、前記家具本体の開口縁のうち前記取付部と対向する位置に設けられた係止片とを備え、前記内部空間を閉止した際に、前記係止片の突出部が前記係止具の係止孔を挿通して突出するとともに、前記突出部を貫通する施錠孔が前記係止孔より露出するように構成することが好適である。
【発明の効果】
【００２０】
以上説明した本発明によれば、部品点数の少ない簡単な構成として、一体感のある上質で軽快な印象を備えるとともに、製造コストを低減することが可能であり、既存の家具への取付けを容易に行うことのできる家具用扉を提供することが可能となる。
【図面の簡単な説明】
【００２１】
【図１】本発明の第１実施形態に係る家具用扉を備えた収納家具の斜視図。
【図２】同家具用扉を図１の状態より開いた状態を示す斜視図。
【図３】同家具用扉の収納家具への取り付け方法を示す斜視図。
【図４】同家具用扉の正面図。
【図５】同家具用扉の内部構造を示す模式図。
【図６】同家具用扉の内部構造を拡大して示す要部の模式図。
【図７】同家具用扉が芯材として備えるハニカム構造体を模式的に示す斜視図。
【図８】同家具用扉の製造工程の一部を示す説明図。
【図９】同家具用扉の製造工程の一部を図８に続いて示す説明図。
【図１０】同家具用扉の製造工程の一部を図９に続いて示す説明図。
【図１１】同家具用扉の製造工程の一部を図１０に続いて示す説明図。
【図１２】本発明の第２実施形態に係る家具用扉の製造工程の一部を示す説明図。
【図１３】同家具用扉の製造工程の一部を示す図１２に続いて示す説明図。
【図１４】本発明の第３実施形態に係る家具用扉を備えた収納家具の斜視図。
【図１５】同家具用扉を開いた状態を拡大して示す要部の斜視図。
【図１６】同家具用扉の正面図。
【図１７】同家具用扉の内部構造を拡大して示す要部の模式図。
【発明を実施するための形態】
【００２２】
以下、本発明の実施形態を、図面を参照して説明する。
【００２３】
＜第１実施形態＞
本発明の第１実施形態に係る家具用扉２は、図１〜３に示すような形態で、家具本体としての収納棚１の前面に取付けて使用するようにしたものである。
【００２４】
収納棚１は組立式のものであり、互いに平行で且つ上下方向に離間して配置された上板１２及び底板１３と、これらを幅方向より挟み込むように配された一対の側板１４，１４によって矩形の枠体を構成するとともに、奥側に背板１６を取り付けたものである。また、上板１２および底板１３と平行で、且つこれらの間の中間位置に棚板１５が設けられており、この棚板１５の上側と下側に物品の収納を可能とするための内部空間１Ａ，１Ｂが形成されている。
【００２５】
家具用扉２は、一例として上側の内部空間１Ａを開閉可能とする位置に取り付けられており、具体的には内部空間１Ａを開放する開口縁１１の前方に配置されている。もちろん、内部空間１Ｂに対応する位置に取り付けることも可能である。なお、本実施形態中の説明において、収納棚１における内部空間１Ａの開放される方向を前側あるいは表側と称し、これらと反対側を後側あるいは裏側と称することとする。
【００２６】
この家具用扉２は、大きく分けて、上部に形成された取付部２３と、これに連続するヒンジ部２２と、このヒンジ部２２により取付部２３に対して回動可能に支持されたパネル部２１とによって構成されており、収納棚１を構成する上板１２における下面１２ａの開放縁１１近傍の位置に取付部２３が取り付けられている。取付部２３にはネジ挿通孔２４が形成されており、このネジ挿通孔２４を挿通させた木ネジ２４ａによって、上板１２の下面１２ａにネジ孔を形成しながら取り付けるようになっている。このように収納家具１に対して取付けられているため、開口縁１１の上部を中心にパネル部２１がフラップ状に回動することが可能となっている。
【００２７】
パネル部２１は、内部空間１Ａの前面に配されるとともに、開口縁１１よりも若干大きく形成されており、正面視において側板１４の前面１４ａ及び棚板１５の前面１５ａの一部までを覆い、確実に内部空間１Ａを閉止することができるようになっている。なお、開口縁１１の上部においては、取付部２３よりヒンジ部２２、さらにはパネル部２１が連続するように構成されているため、隙間が生じることがないようになっている。なお、棚板１５の前面１５ａより下方に向けて張り出さないようになっているため、下方の内部空間１Ｂに対応する位置に設けた場合であっても、この開閉に支障を生じることはない。
【００２８】
以下、上記の家具用扉２の具体的な構成について説明を行う。
【００２９】
図４は、本実施形態の家具用扉２の正面図を示すものである。また、図５（ａ）は側面図を示すものであり、図５（ｂ）は図４におけるＸ−Ｘ断面矢視図を示すものである。なお、図５（ｂ）は一部の構成を省略して簡易に表すものとなっている。
【００３０】
取付部２３は正面視で略矩形状に形成されており、その下方には同じ幅でヒンジ部２２が連続し、これより下方にはやや幅を広く形成されたパネル部２１が連続している。
【００３１】
取付部２３は、パネル部２１よりも薄く形成されており、上述したように厚み方向に貫通するネジ挿通孔２４が設けられている。また、取付部２３の内部には正面視矩形状の平板形状である取付部用芯材３２が設けられるとともに、その前後には表面と裏面とを被覆する表皮材３３ａ，３３ｂが設けられ、正面視における取付部用芯材３２の外周に表皮材３３ａ，３３ｂ同士を厚み方向に止着する止着部５３が形成されることで、表皮材３３ａ，３３ｂの内部に取付部用芯材３２を収容された状態で位置固定されるようになっている。ここで、取付部用芯材３２としては厚み約３ｍｍのポリプロピレン樹脂板を素材に用い、表皮材３３ａ，３３ｂとしては熱可塑性樹脂であるポリエステル繊維を用いた平織りの布帛を素材に用いている。この布帛には延びにくい素材であるため、製作過程において形状の安定化を図ることが可能となっている。
【００３２】
パネル部２１は正面視で略矩形状に形成されるとともに、上部左右の角はやや小さな半径の円弧を用いて、下部左右の角は相対的にやや大きな半径の円弧を用いて丸みを帯びた形状となっている。そして、パネル部２１の内部には、パネル部２１の全体形状よりもひとまわり小さな平板状に形成されたパネル部用芯材３１が設けられるとともに、これを前後で挟み込むように、表面と裏面とを被覆する表皮材３３ａ，３３ｂが設けられている。また、正面視におけるパネル部用芯材３１の外周には表皮材３３ａ，３３ｂ同士を厚み方向に止着する止着部５１が形成されることで、表皮材３３ａ，３３ｂの内部でパネル部用芯材３１が位置固定されるようになっている。止着部５１は、裏面側である表皮材３３ｂが平面上になるように厚み方向にオフセットされた位置に設けられており、収納棚１（図１参照）に取り付けた際に、側板１４の前面１４ａや棚板１５ａとの凹凸を無くし、より一体感が高まるようになっている。
【００３３】
ここで、パネル部用芯材３２としては、図７に示すような厚み約５ｍｍのハニカム構造体４１を素材として用いている。これはポリプロピレン樹脂によって形成されているものであり、ハニカム状に形成されたハニカムコア４２を一対の平板４３，４４によって挟み込んだ形状となっている。そのため、軽量でありながら剛性の高い構造となっており、軽量な家具への取付けをバランス良く行うことができるとともに、長期間の使用でも反りや撓みが生じることなく好適に用いることが可能となっている。
【００３４】
図４及び図５に戻って、正面視におけるパネル部２１の内部にも１４箇所の止着部５４が設けられている。この止着部５４に対応する部位には、パネル部用芯材３１に厚み方向の貫通孔３１ａがそれぞれ設けられており、表側の表皮材３３ａと裏側の表皮材３３ｂとが、上記の貫通孔３１ａの内部で厚み方向に互いに止着されるようになっている。そのため、この止着部５４の近傍においては、表側に向けた凹部２５と裏側に向けた凹部２６とが形成される。このようなパネル部２１の内部に設けられた止着部５４は、外周側の止着部５１とともに、パネル部用芯材３１の位置固定を行うために機能するとともに、表皮材３３ａ，３３ｂのズレを防止して弛みやシワの発生を抑制することが可能となっている。
【００３５】
上述のように取付部２３の表裏に設けられた表皮材３３ａ，３３ｂと、パネル部２１の表裏に設けられた表皮材３３ａ，３３ｂは、それぞれ同一のものが連続するものとしている。そして、この表皮材３３ａ，３３ｂを基にして、取付部２３とパネル部２１との間にヒンジ部２２が構成されている。ヒンジ部２２は表皮材３３ａ，３３ｂ同士を止着する止着部５２が全体に亘って形成されており、上記取付部２３における外周の止着部５３や、パネル部２１における外周の止着部５１と一部において連続している。ヒンジ部２２は、取付部２３やパネル部２１とは異なり芯材を有しないため、この部位において容易に屈曲することが可能であり、ヒンジ部２２が屈曲することで、上述したように取付部２３に対してパネル部２１が回動可能となっている。
【００３６】
さらに、図６を用いて、本実施形態の家具用扉２のより具体的な構成について説明を行う。図６は、図５（ａ）におけるＰ部を拡大して模式的に示すものである。
【００３７】
本実施形態においては、表皮材３３ａ，３３ｂの内側に熱溶着シート３４ａ，３４ｂを設け、そのさらに内側にはクッション材として発泡材であるウレタンフォーム３５ａ，３５ｂをそれぞれ設けている。熱溶着シート３４ａ，３４ｂにはＥＶＡ系のものであり、ポリエステル製である表皮材３３ａ，３３ｂよりも低い融点を有するものを用いているため、熱加工によって溶融して、表皮材３３ａ，３３ｂを好適に止着することが可能となっている。ウレタンフォームは３５ａ，３５ｂは厚み約３ｍｍのものを用いており、弾力性を有することからパネル部用芯材３１を柔軟に覆うとともに、表皮材３３ａ，３３ｂを止着させた際に表皮材３３ａ，３３ｂに対して張力を作用させて、シワや弛みを抑制することが可能となっている。また、全体的に丸みを帯びた柔らかい印象として、上質感を付与することも可能となっている。
【００３８】
図６においては記載がないが、取付部２１（図５参照）においても表皮材３３ａ，３３ｂと取付部芯材３２との間に、熱溶着シート３４ａ，３４ｂとウレタンフォーム３５ａ，３５ｂとが設けられており、パネル部２１と同様の構成となっている。
【００３９】
ヒンジ部２２においても、パネル部２１側より連続して熱溶着シート３４ａ，３４ｂとウレタンフォーム３５ａ，３５ｂとが設けられてはいるが、内部に芯材がなく、全体に亘り止着部５２が形成されることから厚み方向に圧縮され、厚みの小さな断面形状となっている。
【００４０】
上記のような家具用扉２の製造方法について、図８〜１１を用いて詳細に説明を行う。
【００４１】
まず、図８に示すように、素材であるハニカム構造体４１（図７参照）よりパネル部用芯材３１の外形を切り出すとともに、打ち抜き加工によって貫通孔３１ａを形成する。同様に、素材であるポリプロピレン樹脂板より取付部用芯材３２の外形を切り出すとともに、その長手方向の３箇所に貫通孔３２ａを形成する
【００４２】
次に、図９に示すように、パネル部用芯材３１と取付部用芯材３２の双方を挟み込むように、一対のウレタンフォーム３５ａ，３５ｂを配置し、これらの外側に一対の熱溶着シート３４ａ，３４ｂを配置し、その外側に一対の表皮材３３ａ，３３ｂを配置する。
【００４３】
そして、図１０に示すように、芯材３１，３２の外周をウエルド加工、すなわち熱溶着することで止着部５１〜５３を形成する。この際、裏面となる表皮材３３ｂが平面状に形成されるように、この表皮材３３ｂ側を平板状に配置した状態で、表面となる表皮材３３ａ側より各部位を加圧しつつ挟み込んだ状態として加熱することが可能となっている。熱溶着シート３４ａ，３４ｂ（図９参照）の融点が、表皮材３３ａ，３３ｂの融点よりも低く設定しているため、ウエルド加工の際に表皮材３３ａ，３３ｂに損傷を生じさせることなく、所定の形状とした状態で熱溶着シート３４ａ，３４ｂを溶融させて接着効果を生じさせることが可能となっている。
【００４４】
ウエルド加工時には、ウレタンフォーム３５ａ，３５ｂをやや圧縮させた状態としながら、表皮材間３３ａ，３３ｂに止着部５１〜５３を形成するようになっている。この際、ヒンジ部２２に対応する止着部５２では、上述したように厚み方向に加圧されつつ熱を付与されることで、弾性を有するシートとして一体化される。
【００４５】
こうしたウエルド加工は、専用の加工型を製作すれば、これにセットすることで止着部５１〜５３の同時加工も可能であり、より製造手順を簡略化するとともに、加工精度や仕上がりの品位を向上させて、より上品で美麗な形状にすることも可能である。また、ウエルド加工として、溶着を行う部位に熱を直接する付与する手法の他に、超音波等を用いて発熱させる手法も好適に用いることが可能である。
【００４６】
上記のように止着部５１〜５３を形成した後に、パネル部２１の内部及び取付部２３の内部にも同様のウエルド加工により止着部５４，５５を形成する。パネル部２１の内部の止着部５４は、パネル部用芯材３１に設けられた貫通孔３１ａに対応する位置、具体的にはこの貫通孔３１ａの内部に形成するものであり、これによって上述したように表側と裏側に凹部２５，２６（図５参照）が形成される。また、止着部５５は、取付部用芯材３２に設けられた貫通孔３２ａの内部に形成するものとなっている。
【００４７】
止着部５１〜５５を形成する過程において、表皮材３３ａ，３３ｂに張力を付与させることが可能であり、その張力が内部のウレタンフォーム３５ａ，３５ｂの弾性によって維持されるため、表皮材３３ａ，３３ｂにおける弛みやシワの発生を抑制することが可能となっている。特に、一般的にはシワの生じやすいコーナー部においても、ウレタンフォーム３５ａ，３５ｂの弾性によって、美麗にまとまった構造とすることが可能となる。また、止着部５４を設けることでパネル部２１の内部においてより一層の張力を付与することが可能となって、上記の効果を高めることができるとともに、表皮材３３ａ，３３ｂの位置決めをしっかりと行い、よじれやシワの発生を抑制することが可能となっている。
【００４８】
最後に、図１１に示すように、家具用扉２の全周をカットするとともに、取付部２３において止着部５５（図１０参照）のあった位置を中抜きして、ネジ挿通孔２４を形成する。
【００４９】
このようにすることで、軽量でありながら剛性が高く、部品点数の少なく上質感に富む家具用扉２を製作することができ、図３に示すように収納棚１に好適に取付けて用いることが可能となる。
【００５０】
以上のように、本実施形態における家具用扉２は、家具本体としての収納棚１が備える内部空間１Ａを開閉可能とする位置に設けられる家具用扉２であって、収納棚１に取り付けられる取付部２３と、内部空間１Ａの前面に配されるパネル部２１と、取付部２３に対しパネル部２１を回動可能に支持するヒンジ部２２とを具備し、パネル部２１及び取付部２３が芯材３１，３２とこれら芯材３１，３２を覆う表皮材３３ａ，３３ｂとをそれぞれ備え、パネル部２１及び取付部２３を構成する表皮材３３ａ，３３ｂが連続し、その表皮材３３ａ，３３ｂによりパネル部２１と取付部２３との間にヒンジ部２２を構成するようにしたものである。
【００５１】
このように、連続する表皮材３３ａ，３３ｂを用いてパネル部２１、取付部２２及びヒンジ部２３を構成していることから、小型軽量で一体感のある上質で軽快な印象の家具用扉２を実現することができる。また、ヒンジ部２２に金具や回転軸体等を用いることがなく、部品点数を少なくすることができることから製造コストを低減することも可能となる。さらには、構成が簡単であることから取り付けも容易であり、既存の家具にも好適に後付けすることも可能となる。
【００５２】
また、パネル部２１及び取付部２３の表面と裏面とを被覆する表皮材３３ａ，３３ｂ同士を、各芯材３１，３２の周囲、及びヒンジ部２２において厚み方向に止着する止着部５１〜５３を設けているため、上記の構成をより簡単に実現させ、製造コストを低減することが可能となっている。
【００５３】
また、パネル部２１を構成する芯材であるパネル部用芯材３１と表皮材３３ａ，３３ｂの間にクッション材としてのウレタンフォーム３５ａ，３５ｂを介在させた構成としているため、ウレタンフォーム３５ａ，３５ｂの弾性によって表皮材３３ａ，３３ｂに張力を付与させ、シワや弛みの発生を抑制することが可能となっている。
【００５４】
また、パネル部２１を構成するパネル部用芯材３１が厚み方向に貫通する貫通孔３１ａを複数個備えており、これらの貫通孔３１ａに対応する位置において、パネル部２１の表面と裏面を構成する表皮材３３ａ，３３ｂ同士を厚み方向に止着する止着部５４をさらに備えるように構成しているため、芯材３１に対する表皮材３３ａ，３３ｂのズレを効果的に抑え、長期間の使用でも表皮材３３ａ，３３ｂのよじれやシワを抑制することが可能となっている。
【００５５】
また、止着部５１〜５５が、表面と裏面とを構成する表皮材３３ａ，３３ｂ同士の間に設けられた熱溶着シート３４ａ，３４ｂを用いて熱溶着により形成されるように構成しているため、ウエルド加工によって簡単に止着部５１〜５５を形成させて、よりコストの低減を図ることができる。また、全ての止着部５１〜５５を同時に形成することができるため、短時間で、且つ、美麗に構成することも可能となる。
【００５６】
また、表皮材３３ａ，３３ｂが、熱溶着シート３４ａ，３４ｂよりも融点の高い熱可塑性樹脂によって形成されるように構成しているため、表皮材３３ａ，３３ｂ同士を熱溶着シート３４ａ，３４ｂを用いて止着させつつ、所望の形状に形成することが可能となっている。
【００５７】
また、パネル部用芯材３１が、ハニカム状に形成されたハニカムコア４２と、このハニカムコア４２を挟み込む一対の平板４３，４４とが一体的に構成されたハニカム構造体４１によって形成されているため、軽量でありながら剛性の高い構造とすることができ、軽量な家具等においても好適に利用することが可能となっている。
【００５８】
＜第２実施形態＞
本発明の第１実施形態に係る家具用扉２０２は、図１２及び図１３に示すように、第１実施形態における家具用扉２（図１〜図１１参照）の場合と比べて、止着部５１〜５３の形成手段が大きく異なるものである。また、これに伴って内部のウレタンフォーム３５ａ，３５ｂや熱溶着シート３４ａ，３４ｂの形状や有無についても相違している。ただし、これ以外の、全体形状や材質、収納棚１への取付形態等については、第１実施形態のものと同様であるため説明を省略する。なお、第１の実施形態と同一の符号を付した部分は全く同じものであることを示している。
【００５９】
図１２に示すように、本実施形態における家具用扉２０２は、第１実施形態と同様のパネル部２２１、ヒンジ部２２２及び取付部２２３を形成するために、止着部５１，５３（図４参照）に代わる止着部２５１，２５３を縫合により形成したものである。
【００６０】
そのため、表面となる表皮材２３３ａと裏面となる表皮材２３３ｂを重なり合わせた状態として、パネル部２２１に対応する部位の周囲を上向きに開放されたコ字状に縫合することで、パネル部用袋構成部２２１ａを形成する。また、このパネル部用袋構成部２２１ａの上方においては、上記と同一の表皮材２３３ａを上方で折り返して、左右の２箇所に縫合部２５３，２５３を設けることで取付部用袋構成部２２３ａを形成する。
【００６１】
こうすることでパネル部用袋構成部２２１ａと取付部用袋構成部２２３ａとは、ヒンジ部２２２に対応する部位に設けられた共通の開口２０２ａより、上向き及び下向きをなす袋構造を備えるものとなっている。そして、この開口２０２ａには、表面側の表皮材２３３ａの端部となる中央片２３３ａ１と側片２３３ａ２、及び、裏面側の表皮材２３３ｂの端部となる端片２３３ｂ１とが固定されていない状態で備えられている。
【００６２】
他方、家具用扉２０２の芯材として、パネル部用芯材２３１と取付部用芯材３２とが第１実施形態の場合と同様に形成される。パネル部用芯材２３１には、第１実施形態のものに設けていた貫通孔３１ａ（図５参照）を形成していないが、これを設けて第１実施形態と同様の形状にすることも可能である。取付部用芯材３２は、上記開口２０２ａを介して図中の矢印Ａのように取付部用袋構成部２２３ａの内部に収容させる。また、パネル部用芯材２３１は、上記開口２０２ａを介して図中の矢印Ｂのようにパネル部用袋構成部２２１ａの内部に収容させる。
【００６３】
このような状態とした上で、図１３に示すように、パネル部用芯材２３１と表皮材２３３ａとの間に、クッション材としてのウレタンフォーム２３４を挿入させる。そして、中央片２３３ａ１と側片２３３ａ２とを下側に延ばした状態として、これらの外側に端片２３３ｂ１を重合させつつ上方に向かって延在させ、その上端を内側に向けて折り曲げる。さらに、これらが重なりあった部位のうち、図中矢印で示す３箇所を幅方向、すなわち紙面垂直方向に直線的に縫合して、ヒンジ部に２２２に対応する止着部２５２を形成する。このように縫合により止着する過程において、表皮材２３３ａ，２３３ｂに張力を生じさせ、ウレタンフォーム２３４の弾性によってその張力を維持することが可能となっているため、表皮材２３３ａ，２３３ｂのズレを防止することが可能となっている。
【００６４】
また、この例では省略したが、パネル部用芯材２３１の内部に、第１実施形態と同様に貫通孔３１ａ（図５参照）を形成して、その内部でさらに表皮材２３３ａ，２３３ｂを止着させる構成とすることも可能である。
【００６５】
この第２実施形態のような構成とした場合であっても、上述した第１実施形態と同様の作用効果を得ることが可能となる。
【００６６】
さらに、第１実施形態とは異なり、止着部２５１〜２５３が、表面と裏面とを構成する表皮材２３３ａ，２３３ｂ同士を縫合することにより形成されるように構成しているため、ウエルド加工のように特別の加工機を要することなく、縫合という簡単な手段で止着部を形成することができ、小ロットでも低コストで製造を行うことが可能となっている。
【００６７】
＜第３実施形態＞
本発明の第３実施形態に係る家具用扉３０２は、図１４に示すように、第１実施形態における家具用扉２（図１〜図１１参照）の場合と比べて、施錠を可能とするための係止具３０３と係止片３０４とを備えている点が異なるに過ぎない。そのため、全体形状や材質、収納棚１への取付形態等については、第１実施形態のものと同様であり、同一の箇所については同一の符号を付して説明を省略する。
【００６８】
図１５は、家具用扉３０２のパネル部３２１を上方に向けて回動させて内部空間１Ａを僅かに開放した状態を示したものである。家具用扉３０２におけるパネル部３２１の下部中央には、上述の係止具３０３が設けられており、その中央には厚み方向に貫通するとともに、左右方向に延びる係止孔３０３ａが形成されている。
【００６９】
係止具３０３は、図１６に示すように、パネル部３２１におけるヒンジ部３２２と対向する縁部近傍に設けられているものともいえ、図１７に示すように、パネル部３２１の表面側に取り付ける表側係止具構成部材３０６と、裏側係止具構成部材３０７によって分割された構成となっており、これらによってパネル部芯材３３１とともにパネル部の表皮材３３ａ，３３ｂを挟み込みながら、図１６に示す係止孔３０３ａの左右の位置に設けられるネジ３０３ｂによって固定される。
【００７０】
図１５に戻り、収納棚１の開口縁１１のうち取付部２３と対向する位置、すなわち収納棚１を構成する棚板１５の上面１５ｂにおいて、幅方向中央には上述の係止片３０４が設けられている。係止片３０４は略Ｔ字状の板形状となっており、上面１５ｂに対してネジ３４１ａを用いて固定部３４１が固定されるとともに、この固定部３４１の中央より前方に向かって突出部３４２が形成されている。また、この突出部３４２の先端近傍には上下方向に貫通する施錠孔３４３が設けられている。
【００７１】
図１４のようにパネル部３０２を閉じた際には、係止具３０３における係止孔３０３ａより、係止片３０４における突出部３４２が突出した状態となるように、係止具３０３と係止片３０４とが配置されている。さらに、この状態において、突出部３４２に設けられた施錠孔３４３が係止孔３０３ａより完全に露出するようにされている。こうすることで、この施錠孔３４３に南京錠等の錠前を掛けることで、簡単にロック構造を構成することが可能となっている。
【００７２】
また、簡単に家具用扉３０２が破壊されることがないように、図１６及び図１７に示すように、パネル部３２１の内部に補強金具３０５を設けている。この補強金具３０５は、係止具３０３より僅かに上方で幅方向に延在するように設けられており、具体的には、パネル部３２１を構成するパネル部用芯材３３１に取り付けた上で、その外側を表皮材３３ａ，３３ｂで覆うように構成している。なお、この図では省略しているが、表皮材３３ａ，３３ｂとパネル部用芯材３３１との間には、第１実施形態と同様、熱溶着シート３４ａ，３４ｂ、ウレタンフォーム３５ａ，３５ｂ（図６参照）を設けている。
【００７３】
補強金具３０５は、パネル部用芯材３３１の裏面側に配置するとともに、パネル部用芯材３３１を挟んで対向する表面側に複数の爪付きＴナット３５１を設けて取り付けている。より具体的には、爪付きＴナット３５１は、内部にネジ孔３５１ａを備えるとともに、その外周側に爪部３５１ｂを備えており、爪部３５１ｂがパネル部用芯材３３１に食い込むようにして位置決めがなされる。また、補強金具３０５には、ネジ３０５ｂを挿入するためのネジ挿通孔３０５ａが設けられており、このネジ挿通孔３０５ａを介してネジ３０５ｂがネジ孔３５１ａに螺入することで補強金具３０５の固定を行うことができるようになっている。
【００７４】
このように補強金具３０５を備えることによって、パネル部３２１は容易に変形させることが不能となり、上記のロック構造と併せて、より安全に収納物を保管することが可能となる。
【００７５】
また、ロック構造が棚板１５の上方位置のみで構成され、前面１５ａより下方に向けて張り出さないようになっているため、この家具用扉３０２を下方の内部空間１Ｂに対応する位置に同時に設けた場合であっても、この開閉に支障を生じることはない。
【００７６】
上記のように構成した本実施形態の家具用扉３０２は、第１実施形態と同様の効果を得ることができる。
【００７７】
さらには、パネル部３２１におけるヒンジ部２２と対向する縁部近傍に設けられ、厚み方向に貫通する係止孔３０３ａが形成された係止具３０３と、収納棚１の開口縁１１のうち取付部２３と対向する位置に設けられた係止片３０４とを備え、内部空間１Ａを閉止した際に、係止片３０４の突出部３４２が係止具３０３の係止孔３０３ａを挿通して突出するとともに、突出部３４２を貫通する施錠孔３４３が係止孔３０３ａより露出するよう構成しているため、パネル部３２１を閉じた状態として施錠孔３４３に南京錠等の錠前をかけることで、開閉を不能とするロック構造を簡単に構成することが可能となっている。
【００７８】
なお、各部の具体的な構成は、上述した実施形態のみに限定されるものではない。
【００７９】
例えば、上述の実施形態においては、家具用扉２，２０２，３０２を２つの内部空間１Ａ，１Ｂを備える収納棚１に取り付けるものとしていたが、これに限らず種々多様な家具に取り付けることが可能である。
【００８０】
また、家具用扉２（２０２，３０２）は、フラップ構造として上部よりパネル部２１（２２１，３２１）が自重で垂れ下がり、通常状態において内部空間１Ａを閉止する向きに取付けるものとしていたが、横方向に取り付ける構成や、上下を反対に変更する構成とすることも可能である。このようにした場合、マグネット等を利用して閉止状態を維持するように構成とすれば、簡単に開閉状態を維持させることが可能となって好適である。
【００８１】
また、第１実施形態における、表皮材３３ａ，３３ｂや、熱溶着シート３４ａ，３４ｂ、ウレタンフォーム３５ａ，３５ｂの一部を除去してより簡易な構成としたり、つなぎ合わせるような変形も可能である。さらには、各部の材質の相対的な特性に変更がない限り、種々様々な材質のものに変更することができる。例えば、表皮材３３ａ，３３ｂを不織布を変更したりするような変更も可能である。また、パネル部用芯材３１として、ポリプロピレン製のハニカム構造体４１を用いていたが、軽量で剛性が高いものであればよく、ペーパーハニカム構造体等も好適に用いることができる。また、こうした材質に関わる変形は、第２実施形態や第３実施形態における家具用扉２０２，３０２においても同様に行うことができる。
【００８２】
また、ヒンジ部２２を補強するために、当該部位の内側に補強用の布を設ける構成とすることもできる。この場合には、ターポリン等の強度の高い布材を設けることが好適である。
【００８３】
その他の構成も、本発明の趣旨を逸脱しない範囲で種々変形が可能である。
【符号の説明】
【００８４】
１…収納家具（家具本体）
１Ａ…内部空間
２…家具用扉
２１…パネル部
２２…ヒンジ部
２３…取付部
３１…パネル部用芯材
３２…取付部用芯材
３３ａ，３３ｂ…表皮材
３４ａ，３４ｂ…熱溶着シート
３５ａ，３５ｂ…ウレタンシート（クッション材）
４１…ハニカム構造体
４２…ハニカムコア
４３，４４…面板
５１…（パネル部外周）止着部
５２…（ヒンジ部外周）止着部
５３…（取付部外周）止着部
５４…（パネル部内）止着部
５５…（取付部内）止着部
２５１…（パネル部の）止着部
２５２…（ヒンジ部の）止着部
２５３…（取付部の）止着部
３０３…係止具
３０３ａ…係止孔
３０４…係止片
３４２…突出部
３４３…施錠孔
【図１】
2014145196.tif 000003
【図２】
2014145196.tif 000004
【図３】
2014145196.tif 000005
【図４】
2014145196.tif 000006
【図５】
2014145196.tif 000007
【図６】
2014145196.tif 000008
【図７】
2014145196.tif 000009
【図８】
2014145196.tif 000010
【図９】
2014145196.tif 000011
【図１０】
2014145196.tif 000012
【図１１】
2014145196.tif 000013
【図１２】
2014145196.tif 000014
【図１３】
2014145196.tif 000015
【図１４】
2014145196.tif 000016
【図１５】
2014145196.tif 000017
【図１６】
2014145196.tif 000018
【図１７】
2014145196.tif 000019